(57)【要約】【課題】少ない労力で短時間にかまくらが構築され、型枠の取り扱いが容易でコストが低く抑えられるかまくら構築方法のためのかまくら構築具を提供すること。【解決手段】円錐筒型枠１１と先細り三角錐台型枠１２を用い雪を両者の内部に投入し押圧することで円錐台雪ブロック２１と先細り三角錐台雪ブロック２２を作り、円錐台雪ブロック２１の側面母線と先細り三角錐台雪ブロック２２の高さを形成する３辺の延長線がかまくらドーム屋根の中心点ａに向くように前記円錐台雪ブロック２１及び前記先細り三角錐台雪ブロック２２を積み上げることでかまくらを構築することを特徴とするかまくら構築具。【選択図】  図５
2012180708.tif 000002
【特許請求の範囲】
【請求項１】
円錐台型枠（１１）は円錐筒（１）または小径側に上蓋（３）を有する円錐筒（２）形状であり、先細り三角錐台型枠（１２）は前記円錐筒を縦に４分割した側面（４）を２面用い、前記円錐筒の小径部の直径の長さが底辺の小径部の円周の４分の１円弧が２辺で構成される先細り三角形状板小（５）を１面用い、前記円錐筒の大径部の直径の長さが底辺の大径部の円周の４分の１円弧が２辺で構成される先細り三角形状板大（６）を１面用いた４面の構造であり、円錐筒型枠（１１）と先細り三角錐台型枠（１２）は内部に雪を投入し押圧し取り出すと両者の内部に応じた形状の円錐台雪ブロック（２１）と先細り三角錐台雪ブロック（２２）を作ることができ、前記円錐台雪ブロック（２１）の側面母線と前記先細り三角錐台雪ブロック（２２）の高さを形成する３辺の延長線がかまくらドーム屋根の中心点（ａ）に向くように前記円錐台雪ブロック及び前記先細り三角錐台雪ブロックを積み上げることでかまくらを構築することを特徴とするかまくら構築具。
【発明の詳細な説明】
【技術分野】
【０００１】
本発明はかまくら構築具に関する。
【背景技術】
【０００２】
従来の伝統的なかまくら構築方法は、雪を押圧し固めながら積み上げかまくら外壁面を構築した後、内部の押圧された雪をくりぬくように取り除き出入り口及び内部空間を構築し内壁面を構成する方法である。
【０００３】
なお、本願発明に関連する公知技術として次の特許文献１、２及び３を挙げることができる。
【先行技術文献】
【特許文献】
【０００４】
【特許文献１】特許第４０１９３２９号
【特許文献２】特開２００２−１４６９１２号公報
【特許文献３】特開２００２−１５５６３７号公報
【０００５】
特許文献１におけるかまくら構築方法は、雪ブロックを積み上げる方法が容易ではなく、ドーム屋根が美しい半球に構築し難い欠点がある。
【０００６】
特許文献２及び３は、かまくら内壁面の形状に対応する内型を用い、その周囲に雪を積み上げ押圧したのち、内型を分解または縮小することでかまくらの出入り口より取り出す方法であり、内型のコストや雪を均一の厚みに積み上げることが難しいと思われる。
【発明の概要】
【発明が解決しようとする課題】
【０００７】
上述のように、伝統的方法によるかまくら構築方法は後にくり抜くことになる雪も集め固めなければならないので、大量の雪と多くの労力を必要とする。また、型枠を用いる従来のかまくら構築方法は型枠の取り扱いの難しさや型枠のコストが課題である。
【０００８】
本発明は、このような点に鑑みてなされたものであり、その目的は、少ない労力で短時間にかまくらが構築され、型枠の取り扱いが容易でコストが低く抑えられるかまくら構築具、及びそれを用いたかまくら構築方法を提供することである。
【課題を解決するための手段】
【０００９】
円錐台型枠１１は円錐筒１または小径側に上蓋３を有する円錐筒２形状であり、先細り三角錐台型枠１２は前記円錐筒を縦に４分割した側面４を２面用い、前記円錐筒の小径部の直径の長さが底辺の小径部の円周の４分の１円弧が２辺で構成される先細り三角形状板小５を１面用い、前記円錐筒の大径部の直径の長さが底辺の大径部の円周の４分の１円弧が２辺で構成される先細り三角形状板大６を１面用いた４面の構造であることを特徴とする。
【００１０】
円錐筒型枠１１と三角錐台型枠１２は内部に雪を投入し押圧して取り出すと両者の内部に応じた形状の円錐台雪ブロック２１と先細り三角錐台雪ブロック２２を作ることができ、円錐台雪ブロック２１の側面母線と２２先細り三角錐台雪ブロックの高さを形成する３辺の延長線がかまくらドーム屋根の中心点ａに向くように前記円錐台雪ブロック２１及び前記先細り三角錐台雪ブロック２２を積み上げることでかまくらを構築することを特徴とする。
【発明の効果】
【００１１】
以上説明したように本発明のかまくら構築具は、円錐筒形状または上蓋を有する円錐筒形状の型枠及略三角錐台形状の型枠の簡易な構造でかつ軽量な部材で構成されているため、取り扱いが容易で嵩張らず持ち運びに優れ安価である。また、このかまくら構築具を用いたかまくら構築方法は、雪を無駄なく利用するため効率的であり作業性にも優れ、一人の作業者のみでも比較的短時間にかまくらを構築することができる。
【００１２】
これらのことから本発明は、スキー場、雪まつり等のイベントでの利用にとどまらず、屋外教育活動や一般家庭でのかまくら遊び、また冬期の仮設の貯蔵庫としての使用など、雪という天然資源の有効利用の１つとしてひろく用いることができる。            
【図面の簡単な説明】
【００１３】
【図１】本発明のかまくら構築具の円錐筒型枠１１、１１´の実施形態を示す斜視図
【図２】本発明のかまくら構築具の先細り三角錐台型枠１２実施形態を示す斜視図
【図３】本発明の実施形態の構築方法の初期の段階を示す斜視
【図４】本発明の実施形態の構築方法の中盤の段階を示す斜視図
【図５】本発明の実施形態の構築方法の終盤段階を示す斜視図
【図６】本発明の実施形態の構築方法の完成段階を示す斜視図
【図７】本発明の実施形態の構築方法の中盤段階を示す平面図
【図８】本発明の実施形態の構築方法の完成段階の断面側図
【発明を実施するための形態】
【００１４】
以下、本発明の実施の形態を図１〜図８に基づいて説明するがこれに限定されるわけではない。
【００１５】
図１においては、本発明のかまくら構築具である円錐筒型枠１１を示す斜視図である。構築するかまくらドーム屋根の大きさを外径約２．４メートル、壁の厚みを約０．３メートル、内部空間の内径約１．８メートルとする場合の円錐筒型枠１１の寸法の一例をあげると、材料の厚みを考慮しない内寸法では、小径（上蓋）の半径約０．１１メートル、大径の半径約０．１５メートル、高さ約０．３メートルである。
【００１６】
図２においては、本発明のかまくら構築具である先細り三角錐台型枠１２を示しており、構築するかまくらドーム屋根の大きさを外径約２．４メートル、壁の厚みを約０．３メートル、内部空間の内径約１．８メートルとする場合の円錐筒型枠１１の寸法の一例をあげると、材料の厚みを考慮しない内寸法では、先細り三角形状板小５の底辺約０．２２メートル、４分の１円弧の半径は約０．１１メートルで長さは約０．１７メートル、先細り三角形状板大６の底辺約０．３メートル、４分の１円弧の半径約０．１５メートルで長さは約０．２４メートル、高さ約０．３メートル、である。
【００１７】
図３においては、かまくら構築方法の初期の段階を示しており、円錐筒型枠１１と先細り三角錐台型枠１２は内部に雪を詰めて固め取り出すと両者の内部に応じた形状の円錐台雪ブロック２１と先細り三角錐台雪ブロック２２ができる。また、上蓋のない円錐筒型枠１１の使用方法は大径側を雪原に向け小径側を上に向けて足で踏みつけて押し付け、型枠を抜いた後底辺をスコップ等で切り出することで円錐台雪ブロック２１を製作する。円錐台雪ブロック２１の側面母線と先細り三角錐台雪ブロック２２の高さを形成する３辺の延長線がかまくらドーム屋根の中心点ａに向けて円を形成するように連続的に並べ、円錐台雪ブロック２１の曲面に対応するように先細り三角錐台雪ブロック２２を連続的に並べる。
【００１８】
上記円錐台雪ブロック２１と先細り三角錐台雪ブロック２２を互いの形状に合わせて積む順番や方法においては、構築時の雪質やかまくらドーム屋根部の構築時の高さや作業者の作業性によって変化させることが必要であり、例えば新雪に近く強く固まる雪質においては円錐台雪ブロック２１同士を連続的に並べたのち先細り三角錐台雪ブロック２２を強く押圧しながら積み上げることで作業性をあげ、シャーベット状に近い雪質においては円錐台雪ブロック２１と先細り三角錐台雪ブロック２２を交互に積み上げることで雪の柔らかさに対応することが必要である。
【００１９】
図４においては、かまくら構築方法の中盤の段階を示しており、雪ブロックの組積方法においては雪ブロックを円周毎に積み上げることも雪ブロックを螺旋状に積み上げることも可能である。また、かまくらの出入り口となる部分の雪ブロック同士を固めることを避けることで、終盤に出入り口部を作るために雪ブロックを抜く際には雪ブロックを損なうことなく上部で積む雪ブロックとして再使用できる。
【００２０】
図５においては、かまくら構築方法の終盤の段階を示しており、かまくら出入り口部分の雪ブロックを抜いても崩れない高さに達したら、かまくら出入り口部分の雪ブロックを抜いてかまくら出入り口部３１を成形する。また、天頂部分においては雪ブロックを積む角度が強くなるため雪ブロック同士の摩擦力や接着力だけでは重力に対抗できない場合は、雪ブロックの底辺部に雪で作った引っ掛かり部分を付加しこれを下段の雪ブロックに引っ掛けることで安定させ、雪ブロックが固定されたときにこれを取り除くまたは押圧して屋根を球形に成形する。    
【００２１】
図６においては、かまくら構築方法の完成した状態を示している。
【００２２】
図７においては、円錐台雪ブロック２１の側面母線と先細り三角錐台雪ブロック２２の高さを形成する３辺の延長線がかまくらドーム屋根の中心点ａに向けて円を形成するように連続的に並べている状態を示している平面図である。
【００２３】
図８においては、円錐台雪ブロック２１の側面母線と先細り三角錐台雪ブロック２２の高さを形成する３辺の延長線がかまくらドーム屋根の中心点ａに向けて円を形成する様子を側面から示している。
【００２４】
雪ブロックの組積方法には上記に限るものではなく、徐々に半径が大きくなる縦のアーチ形状を連続的に積み４分の１球になった後に縦のアーチ形状の半径を徐々に小さくして半球形状を完成する方法（特許文献３参照）や２箇所または３箇所に分けてピラミッド状に向かい合うように積み上げた後、谷となった部分を埋めるように積む方法などがその他の例としてあげられる。
【実施例】
【００２５】
かまくら構築具の寸法は、上述にあげた例のほか構築したいかまくらの大きさや雪ブロックの大きさや重さまた作業者に対応して多様に変化させることが必要である。
【００２６】
かまくら構築具の材質は、ポリエチレン、ポリカーボネイト等の樹脂や、ガルバニウム鋼板、アルミニウム、ステンレス等の金属板の他、ＧＦＲＰ、ＦＲＰ、ＣＦＲＰの利用も考えられる。
【００２７】
かまくら構築方法においては、本かまくら構築具の他にメジャー、罫書用具や角スコップ等のスコップ、コテ類などの道具類も作業者の必要性に応じて適宜準備が必要である。  
【符号の説明】
【００２８】
１            円錐筒
２            上蓋を有する円錐筒
３            上蓋
４            円錐筒の4分の1側面
５            先細り三角形状板小
６            先細り三角形状板大
１１、１１´  円錐筒型枠
１２          先細り三角錐台型枠
２１          円錐台雪ブロック
２２          先細り三角錐台雪ブロック
３１          かまくら出入り口部
ａ        かまくらドーム屋根の中心点
【図１】
2012180708.tif 000003
【図２】
2012180708.tif 000004
【図３】
2012180708.tif 000005
【図４】
2012180708.tif 000006
【図５】
2012180708.tif 000007
【図６】
2012180708.tif 000008
【図７】
2012180708.tif 000009
【図８】
2012180708.tif 000010